(57)【要約】【課題】従来、交差点または横断歩道の付近に関連する情報をユーザに提供できなかった。【解決手段】交差点または横断歩道の付近に設置された近距離無線通信装置から、近距離無線通信装置に対応する識別情報を受信する識別情報受信部と、識別情報受信部が受信した識別情報を用いて、出力する情報である出力情報をサーバ装置から受信する出力情報受信部と、出力情報受信部が受信した出力情報を出力する出力情報出力部とを具備する携帯端末により、交差点または横断歩道の付近に関連する情報をユーザに提供できる。【選択図】図１
2016115254.tif 000002
【特許請求の範囲】
【請求項１】
交差点または横断歩道の付近に設置された近距離無線通信装置から、当該近距離無線通信装置に対応する識別情報を受信する識別情報受信部と、
前記識別情報受信部が受信した識別情報を用いて、出力する情報である出力情報をサーバ装置から受信する出力情報受信部と、
前記出力情報受信部が受信した出力情報を出力する出力情報出力部とを具備する携帯端末。
【請求項２】
ユーザの属性を示すユーザ属性を格納し得るユーザ属性格納部をさらに具備し、
前記出力情報受信部は、
前記識別情報受信部が受信した識別情報と前記ユーザ属性とを用いて、出力情報を前記サーバ装置から受信する請求項１記載の携帯端末。
【請求項３】
ユーザの属性を示すユーザ属性を格納し得るユーザ属性格納部をさらに具備し、
前記出力情報出力部は、
前記ユーザ属性に応じて、異なる出力態様で前記出力情報を出力する請求項１記載の携帯端末。
【請求項４】
アプリケーションを格納し得るアプリ格納部と、
前記識別情報受信部が識別情報を受信したことに起因して、前記アプリケーションを起動するアプリ起動部とをさらに具備し、
前記出力情報受信部は、
前記アプリケーションが前記識別情報を用いて、出力情報を前記サーバ装置から受信する請求項１から請求項３いずれか一項に記載の携帯端末。
【請求項５】
前記識別情報は、
前記近距離無線通信装置が設置されている位置を示す情報であり、前記近距離無線通信装置が属するグループを識別するメジャー信号と当該近距離無線通信装置を識別するマイナー信号とを有する請求項１から請求項４いずれか一項に記載の携帯端末。
【請求項６】
前記識別情報受信部は、
２以上の近距離無線通信装置から識別情報を受信し、
前記出力情報受信部は、
最も信号強度の強い識別情報を用いて、出力情報を前記サーバ装置から受信する請求項５記載の携帯端末。
【請求項７】
前記識別情報受信部は、
交差点または横断歩道の付近に設置された近距離無線通信装置を具備する信号ポールから識別情報を受信する請求項１から請求項６いずれか一項に記載の携帯端末。
【請求項８】
前記近距離無線通信装置は、
ｉＢｅａｃｏｎを用いた近距離無線通信を行う請求項１から請求項７いずれか一項に記載の携帯端末。
【請求項９】
前記出力情報は、
障害者向けの情報であり、交差点を通行すること、または横断歩道を渡ることを支援するための情報を含む請求項１から請求項８いずれか一項に記載の携帯端末。
【請求項１０】
前記出力情報は、
前記近距離無線通信装置の付近の前記交差点または横断歩道の近辺に関する情報を含む請求項１から請求項９いずれか一項に記載の携帯端末。
【請求項１１】
識別情報を格納し得る識別情報格納部と、
前記識別情報格納部に格納されている識別情報を送信する識別情報送信部とを具備する近距離無線通信装置を具備する信号ポール。
【請求項１２】
識別情報受信部、出力情報受信部、および出力情報出力部により実現され得る情報処理方法であって、
前記識別情報受信部が、交差点または横断歩道の付近に設置された近距離無線通信装置から、当該近距離無線通信装置に対応する識別情報を受信する識別情報受信ステップと、
前記出力情報受信部が、前記識別情報受信ステップで受信された識別情報を用いて、出力する情報である出力情報をサーバ装置から受信する出力情報受信ステップと、
前記出力情報出力部が、前記出力情報受信ステップで受信された出力情報を出力する出力情報出力ステップとを具備する情報処理方法。
【請求項１３】
コンピュータを、
交差点または横断歩道の付近に設置された近距離無線通信装置から、当該近距離無線通信装置に対応する識別情報を受信する識別情報受信部と、
前記識別情報受信部が受信した識別情報を用いて、出力する情報である出力情報をサーバ装置から受信する出力情報受信部と、
前記出力情報受信部が受信した出力情報を出力する出力情報出力部として機能させるためのプログラム。
【発明の詳細な説明】
【技術分野】
【０００１】
本発明は、交差点の近辺に設置された近距離無線通信装置と通信を行い、情報を出力する携帯端末、信号ポール等に関するものである。
【背景技術】
【０００２】
従来、高齢者・視覚障害者の道路横断支援のための信号ポールが存在した（例えば、非特許文献１、非特許文献２参照）。かかる信号ポールは、横断手前で信号の灯色状態が確認できるＬＥＤ付加装置である。
【先行技術文献】
【非特許文献】
【０００３】
【非特許文献１】「高齢者・視覚障害者の道路横断支援のためのＬＥＤ付音響式信号装置の実用化可能性検証」、［平成２６年１２月１６日検索］、インターネット［URL：http://www.shinohara-elec.co.jp/products/detail/P84000_files/TrafficEngineering.pdf］
【非特許文献２】「高齢者・視覚障がい者用ＬＥＤ付音響装置」、［平成２６年１２月１６日検索］、インターネット［URL：http://www.shinohara-elec.co.jp/products/ccat_list.php?bun=50&bcat=516］
【発明の概要】
【発明が解決しようとする課題】
【０００４】
しかしながら、従来技術においては、交差点または横断歩道の付近に関連する情報をユーザに提供できなかった。
【課題を解決するための手段】
【０００５】
本第一の発明の携帯端末は、交差点または横断歩道の付近に設置された近距離無線通信装置から、近距離無線通信装置に対応する識別情報を受信する識別情報受信部と、識別情報受信部が受信した識別情報を用いて、出力する情報である出力情報をサーバ装置から受信する出力情報受信部と、出力情報受信部が受信した出力情報を出力する出力情報出力部とを具備する携帯端末である。
【０００６】
かかる構成により、交差点または横断歩道の付近に関連する情報をユーザに提供できる。
【０００７】
また、本第二の発明の携帯端末は、第一の発明に対して、ユーザの属性を示すユーザ属性を格納し得るユーザ属性格納部をさらに具備し、出力情報受信部は、識別情報受信部が受信した識別情報とユーザ属性とを用いて、出力情報をサーバ装置から受信する携帯端末である。
【０００８】
かかる構成により、ユーザ属性に応じた適切な情報をユーザに提供できる。
【０００９】
また、本第三の発明の携帯端末は、第一の発明に対して、ユーザの属性を示すユーザ属性を格納し得るユーザ属性格納部をさらに具備し、出力情報出力部は、ユーザ属性に応じて、異なる出力態様で出力情報を出力する携帯端末である。
【００１０】
かかる構成により、ユーザ属性に応じた適切な出力態様で、情報をユーザに提供できる。
【００１１】
また、本第四の発明の携帯端末は、第一から第三いずれかの発明に対して、アプリケーションを格納し得るアプリ格納部と、識別情報受信部が識別情報を受信したことに起因して、アプリケーションを起動するアプリ起動部とをさらに具備し、出力情報受信部は、アプリケーションが識別情報を用いて、出力情報をサーバ装置から受信する携帯端末である。
【００１２】
かかる構成により、交差点または横断歩道の付近に関連する情報を、簡単にユーザに提供できる。
【００１３】
また、本第五の発明の携帯端末は、第一から第四いずれかの発明に対して、識別情報は、近距離無線通信装置が設置されている位置を示す情報であり、近距離無線通信装置が属するグループを識別するメジャー信号と近距離無線通信装置を識別するマイナー信号とを有する携帯端末である。
【００１４】
かかる構成により、交差点または横断歩道の付近に関連する情報を、簡単にユーザに提供できる。
【００１５】
また、本第六の発明の携帯端末は、第五の発明に対して、識別情報受信部は、２以上の近距離無線通信装置から識別情報を受信し、出力情報受信部は、最も信号強度の強い識別情報を用いて、出力情報をサーバ装置から受信する携帯端末である。
【００１６】
かかる構成により、交差点や横断歩道等のユーザが居る箇所の付近に関連する情報を、簡単にユーザに提供できる。
【００１７】
また、本第七の発明の携帯端末は、第一から第六いずれかの発明に対して、識別情報受信部は、交差点または横断歩道の付近に設置された近距離無線通信装置を具備する信号ポールから識別情報を受信する携帯端末である。
【００１８】
かかる構成により、交差点に設置された信号ポールを用いて、交差点または横断歩道の付近に関連する情報をユーザに提供できる。
【００１９】
また、本第八の発明の携帯端末は、第一から第七いずれかの発明に対して、近距離無線通信装置は、ｉＢｅａｃｏｎを用いた近距離無線通信を行う携帯端末である。
【００２０】
かかる構成により、交差点または横断歩道の付近に関連する情報をユーザに提供できる。
【００２１】
また、本第九の発明の携帯端末は、第一から第八いずれかの発明に対して、出力情報は、障害者向けの情報であり、交差点を通行すること、または横断歩道を渡ることを支援するための情報を含む携帯端末である。
【００２２】
かかる構成により、交差点を通行すること、または横断歩道を渡ることを支援するための情報をユーザに提供できる。
【００２３】
また、本第十の発明の携帯端末は、第一から第九いずれかの発明に対して、出力情報は、近距離無線通信装置の付近の交差点または横断歩道の近辺に関する情報を含む携帯端末である。
【００２４】
かかる構成により、交差点または横断歩道の近辺に関する情報をユーザに提供できる。
【００２５】
また、本第十一の発明の信号ポールは、識別情報を格納し得る識別情報格納部と、識別情報格納部に格納されている識別情報を送信する識別情報送信部とを具備する近距離無線通信装置を具備する信号ポールである。
【００２６】
かかる構成により、交差点または横断歩道の付近に関連する情報をユーザに提供できる。
【発明の効果】
【００２７】
本発明による携帯端末によれば、交差点または横断歩道の付近に関連する情報をユーザに提供できる。
【図面の簡単な説明】
【００２８】
【図１】実施の形態１における情報システムの概念図
【図２】同情報システムのブロック図
【図３】同携帯端末２の動作について説明するフローチャート
【図４】同出力情報管理表を示す図
【図５】同近距離無線通信装置１１の設置場所の例を示す図
【図６】同携帯端末２の出力例を示す図
【図７】同携帯端末２の出力例を示す図
【図８】同コンピュータシステムの概観図
【図９】同コンピュータシステムのブロック図
【発明を実施するための形態】
【００２９】
以下、携帯端末等の実施形態について図面を参照して説明する。なお、実施の形態において同じ符号を付した構成要素は同様の動作を行うので、再度の説明を省略する場合がある。
【００３０】
（実施の形態１）
本実施の形態において、交差点の近辺に設置された近距離無線通信装置から、識別情報を受信し、当該識別情報を用いて、サーバ装置を検索し、出力情報をサーバ装置から受信し、出力する携帯端末を含む情報システムについて説明する。
【００３１】
また、本実施の形態において、携帯端末に格納されているユーザ属性（例えば、障害の種類、高齢者である旨を含む検索情報）を用いて、出力情報を取得し、取得した出力情報を出力する携帯端末を含む情報システムについて説明する。なお、かかる携帯端末は、ユーザ属性により出力される出力情報の内容や出力順序等が異なる。
【００３２】
また、本実施の形態において、ユーザ属性に応じて、出力情報の出力態様が異なる（例えば、視覚障害者には音声出力し、聴覚障害者には表示し、知的障害者には絵文字を出力する。）携帯端末を含む情報システムについて説明する。
【００３３】
また、本実施の形態において、近距離無線通信装置から、識別情報を受信し、当該識別情報を受信したことに起因して、アプリケーションを起動し、アプリケーションから当該識別情報に対応するキーを用いて、サーバ装置を検索し、出力情報をサーバ装置から受信し、出力する携帯端末を含む情報システムについて説明する。
【００３４】
さらに、本実施の形態において、２以上の近距離無線通信装置から識別情報を受信した場合、信号強度により、一の識別情報を選択する携帯端末を含む情報システムについて説明する。
【００３５】
図１は、本実施の形態における情報システムの概念図である。情報システムは、１または２以上の信号ポール１、１または２以上の携帯端末２、およびサーバ装置３を備える。なお、信号ポール１は、交差点または横断歩道の付近に設置される装置である。
【００３６】
信号ポール１は、近距離無線通信装置１１を備える。信号ポール１は、信号柱、交通信号機用ポール、信号用ポールと言っても良い。信号ポール１は、交差点、横断歩道の近くに設置されているもので、ユーザの道路横断の支援を行うものであり、広く解する。なお、近距離無線通信装置１１は、信号ポール１の中に存在する必要はなく、交差点または横断歩道の付近に設置されていれば良い。ユーザは、健常者でも障害者でも良い。
【００３７】
また、携帯端末２は、ユーザが使用する端末である。携帯端末２は、例えば、いわゆるスマートフォン、タブレット端末、携帯電話、ノートパソコン等である。携帯端末２の種類は問わない。
【００３８】
さらに、サーバ装置３は、外部からアクセス可能な装置であり、いわゆるクラウドサーバでも良く、その種類は問わない。
【００３９】
近距離無線通信装置１１と携帯端末２との間は、近距離無線通信手段により通信される。また、携帯端末２とサーバ装置３との間は、例えば、ＷｉＦｉ等の無線ＬＡＮ等の通信手段により通信される。携帯端末２とサーバ装置３との間は、例えば、インターネット等により通信可能であっても良い。
【００４０】
図２は、本実施の形態における情報システムのブロック図である。
【００４１】
近距離無線通信装置１１は、識別情報格納部１１１、および識別情報送信部１１２を備える。
【００４２】
携帯端末２は、ユーザ属性格納部２１、アプリ格納部２２、識別情報受信部２３、アプリ起動部２４、出力情報受信部２５、および出力情報出力部２６を備える。
【００４３】
出力情報受信部２５は、検索情報送信手段２５１、および出力情報受信手段２５２を備える。
【００４４】
サーバ装置３は、出力情報格納部３１、検索情報受信部３２、出力情報取得部３３、および出力情報送信部３４を備える。
【００４５】
近距離無線通信装置１１は、近距離無線通信手段により識別情報を送信する。近距離無線通信手段は、例えば、ｉＢｅａｃｏｎである。また、近距離無線通信手段は、例えば、Ｂｌｕｅｔｏｏｔｈ（登録商標）、ＮＦＣ（Near Field Communication）等でも良い。また、識別情報は、近距離無線通信装置１１に対応する情報である。通常、識別情報は、近距離無線通信装置１１を識別する情報である。識別情報は、２以上の近距離無線通信装置１１のグループを識別する情報であっても良い。識別情報は、例えば、近距離無線通信装置１１が設置されている位置を示す情報である。識別情報は、例えば、階層化されている情報の集合であり、例えば、メジャー信号とマイナー信号とを有する。メジャー信号は、例えば、近距離無線通信装置１１が属するグループを識別する情報である。マイナー信号は、グループ内の一の近距離無線通信装置１１を識別する情報である。メジャー信号は、通常、一の交差点を識別する情報である。
【００４６】
なお、近距離無線通信装置１１は、交差点または横断歩道の付近に設置される。交差点または横断歩道の付近とは、例えば、横断歩道の歩道側の位置、横断歩道を渡る前の先頭の位置、交差点内などである。交差点または横断歩道の付近は、交差点の周辺でも良い。また、交差点または横断歩道の付近とは、例えば、交差点の四隅または対角線上の二隅の位置である。
【００４７】
近距離無線通信装置１１を構成する識別情報格納部１１１は、識別情報を格納し得る。
【００４８】
識別情報送信部１１２は、識別情報格納部１１１に格納されている識別情報を送信する。識別情報送信部１１２は、通常、連続的に識別情報を送信する。識別情報送信部１１２は、例えば、定期的に識別情報を送信する。識別情報送信部１１２は、例えば、異なる間隔で、連続的に識別情報を送信しても良い。
【００４９】
携帯端末２を構成するユーザ属性格納部２１は、ユーザの属性を示すユーザ属性を格納し得る。ユーザ属性とは、例えば、障害の種類を示す情報、高齢者である旨を示す情報、健常者である旨を示す情報等である。障害の種類を示す情報は、例えば、視覚障害者であることを示す情報、聴覚障害者であることを示す情報、知的障害者であることを示す情報等である。
【００５０】
アプリ格納部２２は、アプリケーションを格納し得る。ここでのアプリケーションは、サーバ装置３にアクセスし、出力情報を受信し、出力するアプリケーションである。
【００５１】
識別情報受信部２３は、近距離無線通信装置１１から識別情報を受信する。識別情報受信部２３は、２以上の近距離無線通信装置１１から識別情報を受信しても良い。
【００５２】
アプリ起動部２４は、識別情報受信部２３が識別情報を受信したことに起因して、アプリケーションを起動する。
【００５３】
出力情報受信部２５は、識別情報受信部２３が受信した識別情報を用いて、出力情報をサーバ装置３から受信する。出力情報は、携帯端末２で出力される情報である。出力情報受信部２５は、識別情報受信部２３が受信した識別情報を用いて検索情報を構成し、当該検索情報をサーバ装置３に送信する。そして、出力情報受信部２５は、サーバ装置３から、検索情報に対応する出力情報を受信する。なお、検索情報は、検索条件を示す情報である。
【００５４】
出力情報は、複数の種類の情報であることは好適である。出力情報は、例えば、定常情報、緊急情報、ライブ情報等である。定常情報とは、定常的な情報であり、例えば、交差点の種類（例えば、歩車分離か、時差式信号か等）、交差点の特徴、交差点の形状、事故の多少、道路の方向などを示す情報である。定常情報は、交差点または横断歩道の付近の店舗の広告情報、店舗の紹介情報等でも良い。また、緊急情報は、緊急の情報であり、例えば、工事により交差点が変化していることを示す情報等である。ライブ情報は、現在、発生している事象に関する情報であり、近くで事故が発生したことを示す情報、近くで犯罪が発生したことを示す情報等である。出力情報は、例えば、障害者向けの情報であり、交差点を通行すること、または横断歩道を渡ることを支援するための情報を含む。また、出力情報は、例えば、近距離無線通信装置１１の付近の交差点の近辺に関する情報を含む。
【００５５】
出力情報受信部２５は、識別情報受信部２３が受信した識別情報とユーザ属性とを用いて、出力情報をサーバ装置３から受信しても良い。かかる場合、出力情報受信部２５は、識別情報受信部２３が受信した識別情報とユーザ属性とを用いて検索情報を構成し、当該検索情報をサーバ装置３に送信する。そして、出力情報受信部２５は、サーバ装置３から、検索情報に対応する出力情報を受信する。なお、検索情報とは、通常、検索のための条件である。
【００５６】
アプリケーションが識別情報を用いて、出力情報をサーバ装置３から受信しても良い。かから場合、アプリケーションは、出力情報受信部２５を構成する。
【００５７】
識別情報受信部２３が２以上の識別情報を受信した場合、出力情報受信部２５は、当該２以上の識別情報のうち、最も強い信号強度に対応する識別情報を用いて、出力情報をサーバ装置３から受信することは好適である。
【００５８】
検索情報送信手段２５１は、識別情報受信部２３が受信した識別情報を用いて検索情報を構成し、当該検索情報をサーバ装置３に送信する。また、検索情報送信手段２５１は、識別情報受信部２３が受信した識別情報とユーザ属性とを用いて検索情報を構成し、当該検索情報をサーバ装置３に送信しても良い。
【００５９】
出力情報受信手段２５２は、サーバ装置３から出力情報を受信する。出力情報受信手段２５２は、検索情報のサーバ装置３への送信に応じて、サーバ装置３から出力情報を受信する。
【００６０】
出力情報出力部２６は、出力情報受信部２５が受信した出力情報を出力する。
【００６１】
出力情報出力部２６は、ユーザ属性に応じて、異なる出力態様で出力情報を出力しても良い。異なる出力態様とは、例えば、ユーザ属性が視覚障害者を示す情報である場合は音声で出力情報を出力し、ユーザ属性が聴覚障害者を示す情報である場合は出力情報をディスプレイに表示し、ユーザ属性が知的障害者を示す情報である場合は絵文字の出力情報を出力すること等である。また、異なる出力態様とは、例えば、ユーザ属性に応じて、出力される２以上の出力情報の順序が異なることである。
【００６２】
ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００６３】
サーバ装置３を構成する出力情報格納部３１は、１または２以上の出力情報を格納し得る。出力情報格納部３１は、ユーザ属性に対応付けられた出力情報を格納していることは好適である。
【００６４】
検索情報受信部３２は、検索情報を携帯端末２から受信する。
【００６５】
出力情報取得部３３は、検索情報受信部３２が受信した検索情報を用いて、１以上の出力情報を出力情報格納部３１から取得する。つまり、出力情報取得部３３は、検索情報受信部３２が受信した検索情報を用いて、出力情報格納部３１を検索する。出力情報取得部３３は、取得した２以上の出力情報を、予め決められたキーに従って、ソートしても良い。予め決められたキーは、例えば、出力情報の種類である。
【００６６】
出力情報送信部３４は、出力情報取得部３３が取得した１以上の出力情報を携帯端末２に送信する。
【００６７】
識別情報格納部１１１、ユーザ属性格納部２１、アプリ格納部２２、および出力情報格納部３１は、不揮発性の記録媒体が好適であるが、揮発性の記録媒体でも実現可能である。
【００６８】
識別情報格納部１１１等に識別情報等が記憶される過程は問わない。例えば、記録媒体を介して識別情報等が識別情報格納部１１１等で記憶されるようになってもよく、通信回線等を介して送信された識別情報等が識別情報格納部１１１等で記憶されるようになってもよく、あるいは、入力デバイスを介して入力された識別情報等が識別情報格納部１１１等で記憶されるようになってもよい。
【００６９】
識別情報送信部１１２は、通常、近距離無線通信手段で実現されるが、放送手段で実現されても良い。
【００７０】
識別情報受信部２３は、通常、近距離無線通信手段で実現されるが、放送受信手段で実現されても良い。
【００７１】
出力情報受信部２５、検索情報送信手段２５１、出力情報受信手段２５２、検索情報受信部３２、および出力情報送信部３４は、通常、無線または有線の通信手段で実現される。
【００７２】
アプリ起動部２４、および出力情報取得部３３は、通常、ＭＰＵやメモリ等から実現され得る。アプリ起動部２４の処理手順は、通常、ソフトウェアで実現され、当該ソフトウェアはＲＯＭ等の記録媒体に記録されている。但し、ハードウェア（専用回路）で実現しても良い。
【００７３】
出力情報出力部２６は、ディスプレイやスピーカー等の出力デバイスを含むと考えても含まないと考えても良い。出力情報出力部２６は、出力デバイスのドライバーソフトまたは、出力デバイスのドライバーソフトと出力デバイス等で実現され得る。
【００７４】
次に、情報システムの動作について説明する。まず、近距離無線通信装置１１の動作について説明する。近距離無線通信装置１１の識別情報送信部１１２は、識別情報格納部１１１に格納されている識別情報を、連続的に送信する。
【００７５】
次に、携帯端末２の動作について、図３のフローチャートを用いて説明する。
【００７６】
（ステップＳ３０１）識別情報受信部２３は、１以上の近距離無線通信装置１１から１以上の識別情報を受信したか否かを判断する。１以上の識別情報を受信すればステップＳ３０２に行き、１以上の識別情報を受信しなければステップＳ３０１に戻る。
【００７７】
（ステップＳ３０２）アプリ起動部２４は、アプリ格納部２２のアプリを起動する。
【００７８】
（ステップＳ３０３）検索情報送信手段２５１は、ステップＳ３０１で受信された１以上の識別情報のうち、信号強度が最大の識別情報を取得する。
【００７９】
（ステップＳ３０４）検索情報送信手段２５１は、ユーザ属性格納部２１に格納されている１以上のユーザ属性を取得する。なお、ここで、検索情報送信手段２５１は、ユーザ属性を取得できない場合もある。
【００８０】
（ステップＳ３０５）検索情報送信手段２５１は、ステップＳ３０３で取得された識別情報およびステップＳ３０４で取得した１以上のユーザ属性を用いて、検索情報を構成する。なお、検索情報送信手段２５１は、ステップＳ３０３で取得された識別情報のみを用いて、検索情報を構成しても良い。
【００８１】
（ステップＳ３０６）検索情報送信手段２５１は、ステップＳ３０５で構成した検索情報をサーバ装置３に送信する。
【００８２】
（ステップＳ３０７）出力情報受信部２５は、サーバ装置３から１以上の出力情報を受信したか否かを判断する。１以上の出力情報を受信すればステップＳ３０８に行き、受信しなければステップＳ３０７に戻る。
【００８３】
（ステップＳ３０８）出力情報出力部２６は、ステップＳ３０７で受信された１以上の出力情報を出力する。なお、ここで、出力情報出力部２６は、ステップＳ３０４で取得した１以上のユーザ属性に対応する出力態様で、１以上の出力情報を出力することは好適である。
【００８４】
なお、図３のフローチャートにおいて、電源オフや処理終了の割り込みにより処理は終了する。
【００８５】
また、図３のフローチャートにおいて、出力情報出力部２６は、ユーザ属性に応じて、異なる出力態様で出力情報を出力しても良い。
さらに、図３のフローチャートのステップＳ３０２において、識別情報の受信に応じて、アプリ起動部２４は自動的にアプリを起動した。しかし、識別情報の受信に応じて、アプリ起動部２４は、アプリを起動するか否かを、ユーザに問い合わしても良い。つまり、識別情報の受信に応じて、アプリ起動部２４は、アプリを起動するか否かを問い合わせる画面を出力したり、アプリを起動するか否かを問い合わせる音声を出力したりしても良い。そして、ユーザから、アプリを起動することを示す指示の入力を受け付けた場合に、アプリを起動しても良い。アプリ起動後の処理は、ステップＳ３０３以降の処理となる。
【００８６】
次に、サーバ装置３の動作について説明する。サーバ装置３の検索情報受信部３２は、携帯端末２から検索情報を受信する。出力情報取得部３３は、受信された検索情報が示す条件に合致する１以上の出力情報を出力情報格納部３１から取得する。次に、出力情報送信部３４は、取得された１以上の出力情報を、検索情報を送信してきた携帯端末２に送信する。
【００８７】
以下、本実施の形態における情報システムの具体的な動作について説明する。情報システムの概念図は図１である。
【００８８】
今、サーバ装置３の出力情報格納部３１は、図４に示す出力情報管理表を保持している、とする。出力情報管理表は、「ＩＤ」「識別情報」「ユーザ属性条件」「出力情報」「出力情報の種類」の属性値を有する１以上のレコードを管理している。「ＩＤ」はレコードを識別する情報である。「識別情報」は「メジャー信号」「マイナー信号」を有する。「ユーザ属性条件」は、ユーザ属性に関する条件である。「出力情報の種類」は、出力情報の種類であり、ここでは、定常情報、緊急情報、ライブ情報のいずれかを採り得る、とする。また、図４の「ＩＤ＝２」の出力情報は、音声データであり、「歩車分離交差点です。」と音声出力するための音声データである。また、「ＩＤ＝３９」の出力情報は、音声データであり、「事故発生！  通行できません。」と音声出力するための音声データである。また、「ＩＤ＝５２」の出力情報は、音声データであり、「近くで犯罪が発生し、犯人が逃亡中・・・」と音声出力するための音声データである。さらに、「ＩＤ＝３」の出力情報は、歩車分離交差点であることを直感的に示す画像データである。
【００８９】
また、図５に示す交差点の４つの横断歩道の（１）〜（８）に示す位置に、近距離無線通信装置１１を具備する信号ポール１が設置されている、とする。
【００９０】
そして、（１）〜（８）の各信号ポール１が有する８つの各近距離無線通信装置１１は、「Ｘ１」「Ｘ２」「Ｘ３」「Ｘ４」「Ｘ５」「Ｘ６」「Ｘ７」「Ｘ８」の識別情報を格納している、とする。また、「Ｘ１」〜「Ｘ８」の識別情報に含まれる「Ｘ」はメジャー信号、「１」〜「８」はマイナー信号である、とする。
【００９１】
かかる状況において、以下の３つの具体例について説明する。具体例１は、ユーザ属性を格納していない携帯端末２で出力情報を出力する場合である。具体例２は、ユーザ属性を格納している携帯端末２で出力情報を出力する場合であり、かつ出力態様をサーバ装置３で決定する場合である。さらに、具体例２は、ユーザ属性を格納している携帯端末２で出力情報を出力する場合であり、かつ出力態様を携帯端末２で決定する場合である。
【００９２】
（具体例１）
今、ユーザＡは、携帯端末２を保持し、図５の交差点の（１）の前に歩いて行った、とする。なお、携帯端末２のユーザ属性格納部２１には、ユーザ属性は格納されていない、とする。
【００９３】
すると、携帯端末２は、交差点の（１）の前に設置されている近距離無線通信装置１１から、ｉＢｅａｃｏｎにより、識別情報「Ｘ１」を受信する。また、携帯端末２は、交差点の（２）の前に設置されている近距離無線通信装置１１から、ｉＢｅａｃｏｎにより、識別情報「Ｘ２」を受信する。また、携帯端末２は、交差点の（８）の前に設置されている近距離無線通信装置１１から、ｉＢｅａｃｏｎにより、識別情報「Ｘ８」を受信する。
【００９４】
次に、アプリ起動部２４は、アプリ格納部２２のアプリを起動する。
【００９５】
次に、検索情報送信手段２５１は、受信された３つの識別情報のうち、信号強度が最大の信号に対応する識別情報「Ｘ１」を取得する、とする。
【００９６】
次に、検索情報送信手段２５１は、ユーザ属性格納部２１に格納されているユーザ属性を取得しようとするが、ユーザ属性を取得できなかった、とする。
【００９７】
次に、検索情報送信手段２５１は、取得された識別情報「Ｘ１」を用いて、検索情報「Ｓｅａｒｃｈ  Ｘ，１」を構成する。なお、「Ｓｅａｒｃｈ  Ｘ，１」は、ここでは、検索命令である。また、「Ｓｅａｒｃｈ  Ｘ，１」は、メジャー信号「Ｘ」、マイナー信号「１」、およびユーザ属性条件「ＮＵＬＬ（−）」のレコードに対応する出力情報を検索することを示す。
【００９８】
次に、検索情報送信手段２５１は、検索情報「Ｓｅａｒｃｈ  Ｘ，１」をサーバ装置３に送信する。
【００９９】
次に、サーバ装置３の検索情報受信部３２は、ユーザＡの携帯端末２から検索情報「Ｓｅａｒｃｈ  Ｘ，１」を受信する。
【０１００】
次に、出力情報取得部３３は、受信された検索情報が示す条件に合致する１以上の出力情報を出力情報管理表（図４）から取得する。つまり、出力情報取得部３３は、メジャー信号「Ｘ」およびマイナー信号「１」およびユーザ属性条件「ＮＵＬＬ（−）」、またはメジャー信号「Ｘ」およびマイナー信号「ＮＵＬＬ（−）」およびユーザ属性条件「ＮＵＬＬ（−）」に対応する出力情報を出力情報管理表（図４）から取得する。ここで、出力情報取得部３３は、図４の出力情報管理表の「ＩＤ＝４」「ＩＤ＝５１」のレコードが、検索情報が示す条件を満たす、と判断した、とする。なお、ユーザ属性条件「視覚障害以外」は「ＮＵＬＬ（−）」にもマッチする、とする。
【０１０１】
次に、出力情報取得部３３は、「出力情報：左折車が多いです。気をつけて下さい。，出力情報の種類：定常情報」を取得する。また、出力情報取得部３３は、「出力情報：近くで犯罪が発生し、犯人が逃亡中・・・，出力情報の種類：ライブ情報」を取得する。
【０１０２】
次に、出力情報送信部３４は、取得された２つの出力情報と出力情報の種類の組（「出力情報：左折車が多いです。気をつけて下さい。，出力情報の種類：定常情報」，「出力情報：近くで犯罪が発生し、犯人が逃亡中・・・，出力情報の種類：ライブ情報」）を、ユーザＡの携帯端末２に送信する。
【０１０３】
次に、携帯端末２の出力情報受信部２５は、２つの出力情報と出力情報の種類の組（「出力情報：左折車が多いです。気をつけて下さい。，出力情報の種類：定常情報」，「出力情報：近くで犯罪が発生し、犯人が逃亡中・・・，出力情報の種類：ライブ情報」）をサーバ装置３から受信する。
【０１０４】
次に、出力情報出力部２６は、「緊急情報＞ライブ情報＞定常情報」の優先順位に従って、２つの出力情報をソートする。つまり、出力情報出力部２６は、出力情報「近くで犯罪が発生し、犯人が逃亡中・・・」「左折車が多いです。気をつけて下さい。」を取得する。そして、出力情報出力部２６は、出力情報「近くで犯罪が発生し、犯人が逃亡中・・・」「左折車が多いです。気をつけて下さい。」を、順に出力する。かかる出力例は、図６である。
【０１０５】
（具体例２）
今、ユーザＢは、携帯端末２を保持し、図５の交差点の（５）の前に歩いて行った、とする。なお、携帯端末２のユーザ属性格納部２１には、ユーザ属性「視覚障害」が格納されている、とする。
【０１０６】
すると、携帯端末２は、交差点の（５）の前に設置されている近距離無線通信装置１１から、ｉＢｅａｃｏｎにより、識別情報「Ｘ５」を受信する。また、携帯端末２は、交差点の（４）の前に設置されている近距離無線通信装置１１から、ｉＢｅａｃｏｎにより、識別情報「Ｘ４」を受信する。
【０１０７】
次に、アプリ起動部２４は、アプリ格納部２２のアプリを起動する。
【０１０８】
次に、検索情報送信手段２５１は、受信された２つの識別情報のうち、信号強度が最大の信号に対応する識別情報「Ｘ５」を取得する、とする。
【０１０９】
次に、検索情報送信手段２５１は、ユーザ属性格納部２１に格納されているユーザ属性「視覚障害」を取得する。
【０１１０】
次に、検索情報送信手段２５１は、取得された識別情報「Ｘ５」とユーザ属性「視覚障害」とを用いて、検索情報「Ｓｅａｒｃｈ  Ｘ，５，視覚障害」を構成する。なお、「Ｓｅａｒｃｈ  Ｘ，５，視覚障害」は、ここでは、検索命令である。また、「Ｓｅａｒｃｈ  Ｘ，５，視覚障害」は、メジャー信号「Ｘ」、マイナー信号「５」、およびユーザ属性条件「視覚障害」または「ＮＵＬＬ（−）」のレコードに対応する出力情報を検索することを示す。
【０１１１】
次に、検索情報送信手段２５１は、検索情報「Ｓｅａｒｃｈ  Ｘ，５，視覚障害」をサーバ装置３に送信する。
【０１１２】
次に、サーバ装置３の検索情報受信部３２は、ユーザＢの携帯端末２から検索情報「Ｓｅａｒｃｈ  Ｘ，５，視覚障害」を受信する。
【０１１３】
次に、出力情報取得部３３は、受信された検索情報が示す条件に合致する１以上の出力情報を出力情報管理表（図４）から取得する。つまり、出力情報取得部３３は、メジャー信号「Ｘ」およびマイナー信号「５」およびユーザ属性条件「視覚障害」に対応する出力情報を出力情報管理表（図４）から取得する。また、出力情報取得部３３は、メジャー信号「Ｘ」およびマイナー信号「５」およびユーザ属性条件「ＮＵＬＬ（−）」に対応する出力情報を出力情報管理表（図４）から取得する。ここで、出力情報取得部３３は、図４の出力情報管理表の「ＩＤ＝２」「ＩＤ＝３９」「ＩＤ＝５２」の３つのレコードが、検索情報が示す条件を満たす、と判断した、とする。
【０１１４】
次に、出力情報取得部３３は、「出力情報：（歩車分離交差点です。）の音声データ，出力情報の種類：定常情報」「出力情報：（事故発生。通行できません。）の音声データ，出力情報の種類：緊急情報」「出力情報：（近くで犯罪が発生し、犯人が逃亡中・・・）の音声データ，出力情報の種類：ライブ情報」を取得する。
【０１１５】
次に、出力情報送信部３４は、出力情報の種類を用いて、「緊急情報＞ライブ情報＞定常情報」の優先順位に従って、取得された３つの出力情報をソートする。そして、出力情報送信部３４は、「出力情報：（事故発生。通行できません。）の音声データ，出力情報の種類：緊急情報」「出力情報：（近くで犯罪が発生し、犯人が逃亡中・・・）の音声データ，出力情報の種類：ライブ情報」「出力情報：（歩車分離交差点です。）の音声データ，出力情報の種類：定常情報」を得る。
【０１１６】
次に、出力情報送信部３４は、「（事故発生。通行できません。）の音声データ」「（近くで犯罪が発生し、犯人が逃亡中・・・）の音声データ」「（歩車分離交差点です。）の音声データ」の順に、３つの音声データ（音声ファイルでも良い）を、ユーザＢの携帯端末２に送信する。
【０１１７】
次に、携帯端末２の出力情報受信部２５は、３つの音声データを順次、受信する。そして、出力情報出力部２６は、３つの音声データを順次、出力する。かかる出力のイメージは、図７である。
【０１１８】
（具体例３）
今、ユーザＢは、携帯端末２を保持し、図５の交差点の（５）の前に歩いて行った、とする。なお、携帯端末２のユーザ属性格納部２１には、ユーザ属性「視覚障害」が格納されている、とする。
【０１１９】
すると、携帯端末２は、交差点の（５）の前に設置されている近距離無線通信装置１１から、ｉＢｅａｃｏｎにより、識別情報「Ｘ５」を受信する。また、携帯端末２は、交差点の（４）の前に設置されている近距離無線通信装置１１から、ｉＢｅａｃｏｎにより、識別情報「Ｘ４」を受信する。
【０１２０】
次に、アプリ起動部２４は、アプリ格納部２２のアプリを起動する。
【０１２１】
次に、検索情報送信手段２５１は、受信された２つの識別情報のうち、信号強度が最大の信号に対応する識別情報「Ｘ５」を取得する、とする。
【０１２２】
次に、検索情報送信手段２５１は、ユーザ属性格納部２１に格納されているユーザ属性「視覚障害」を取得する。
【０１２３】
次に、検索情報送信手段２５１は、取得された識別情報「Ｘ５」とユーザ属性「視覚障害」とを用いて、検索情報「Ｓｅａｒｃｈ  Ｘ，５，視覚障害」を構成する。なお、「Ｓｅａｒｃｈ  Ｘ，５，視覚障害」は、ここでは、検索命令である。また、「Ｓｅａｒｃｈ  Ｘ，５，視覚障害」は、メジャー信号「Ｘ」、マイナー信号「５」、およびユーザ属性条件「視覚障害」または「ＮＵＬＬ（−）」のレコードに対応する出力情報を検索することを示す。
【０１２４】
次に、検索情報送信手段２５１は、検索情報「Ｓｅａｒｃｈ  Ｘ，５，視覚障害」をサーバ装置３に送信する。
【０１２５】
次に、サーバ装置３の検索情報受信部３２は、ユーザＢの携帯端末２から検索情報「Ｓｅａｒｃｈ  Ｘ，５，視覚障害」を受信する。
【０１２６】
次に、出力情報取得部３３は、受信された検索情報が示す条件に合致する１以上の出力情報を出力情報管理表（図４）から取得する。つまり、出力情報取得部３３は、メジャー信号「Ｘ」およびマイナー信号「５」およびユーザ属性条件「視覚障害」に対応する出力情報を出力情報管理表（図４）から取得する。また、出力情報取得部３３は、メジャー信号「Ｘ」およびマイナー信号「５」およびユーザ属性条件「ＮＵＬＬ（−）」に対応する出力情報を出力情報管理表（図４）から取得する。ここで、出力情報取得部３３は、図４の出力情報管理表の「ＩＤ＝２」「ＩＤ＝３９」「ＩＤ＝５２」の３つのレコードが、検索情報が示す条件を満たす、と判断した、とする。
【０１２７】
次に、出力情報取得部３３は、出力情報と出力情報の種類との組、３組「出力情報：（歩車分離交差点です。）の音声データ，出力情報の種類：定常情報」「出力情報：（事故発生。通行できません。）の音声データ，出力情報の種類：緊急情報」「出力情報：（近くで犯罪が発生し、犯人が逃亡中・・・）の音声データ，出力情報の種類：ライブ情報」を取得する。
【０１２８】
次に、出力情報送信部３４は、「出力情報：（歩車分離交差点です。）の音声データ，出力情報の種類：定常情報」「出力情報：（事故発生。通行できません。）の音声データ，出力情報の種類：緊急情報」「出力情報：（近くで犯罪が発生し、犯人が逃亡中・・・）の音声データ，出力情報の種類：ライブ情報」を、ユーザＢの携帯端末２に送信する。
【０１２９】
次に、携帯端末２の出力情報受信部２５は、３つの音声データと出力情報の種類の組を受信する。
【０１３０】
次に、出力情報出力部２６は、「緊急情報＞ライブ情報＞定常情報」の優先順位に従って、２つの出力情報をソートする。つまり、出力情報出力部２６は、３つの音声データ「（事故発生。通行できません。）の音声データ」「（近くで犯罪が発生し、犯人が逃亡中・・・）の音声データ」「（歩車分離交差点です。）の音声データ」を取得する。
【０１３１】
そして、出力情報出力部２６は、３つの音声データを順次、出力する。かかる出力のイメージは、図７である。
【０１３２】
以上、本実施の形態によれば、交差点または横断歩道の付近に関連する情報をユーザに提供できる。
【０１３３】
また、本実施の形態によれば、ユーザ属性に応じた適切な出力態様で、情報をユーザに提供できる。
【０１３４】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における携帯端末２を実現するソフトウェアは、以下のようなプログラムである。つまり、このプログラムは、コンピュータを、
交差点または横断歩道の付近に設置された近距離無線通信装置から、当該近距離無線通信装置に対応する識別情報を受信する識別情報受信部と、
前記識別情報受信部が受信した識別情報を用いて、出力する情報である出力情報をサーバ装置から受信する出力情報受信部と、
前記出力情報受信部が受信した出力情報を出力する出力情報出力部として機能させるためのプログラムである。
【０１３５】
上記プログラムにおいて、前記出力情報受信部は、前記識別情報受信部が受信した識別情報とユーザ属性とを用いて、出力情報を前記サーバ装置から受信するものとして、コンピュータを機能させるプログラムであることは好適である。
【０１３６】
上記プログラムにおいて、前記出力情報出力部は、ユーザ属性に応じて、異なる出力態様で前記出力情報を出力するものとして、コンピュータを機能させるプログラムであることは好適である。
【０１３７】
上記プログラムにおいて、前記識別情報受信部が識別情報を受信したことに起因して、アプリケーションを起動するアプリ起動部としてさらにコンピュータを機能させ、前記出力情報受信部は、前記アプリケーションが前記識別情報を用いて、出力情報を前記サーバ装置から受信するものとして、コンピュータを機能させるプログラムであることは好適である。
【０１３８】
上記プログラムにおいて、前記識別情報受信部は、２以上の近距離無線通信装置から識別情報を受信し、前記出力情報受信部は、最も信号強度の強い識別情報を用いて、出力情報を前記サーバ装置から受信するものとして、コンピュータを機能させるプログラムであることは好適である。
【０１３９】
上記プログラムにおいて、前記識別情報受信部は、交差点の付近に設置された近距離無線通信装置を具備する信号ポールから識別情報を受信するものとして、コンピュータを機能させるプログラムであることは好適である。
【０１４０】
また、図８は、本明細書で述べたプログラムを実行して、上述した種々の実施の形態の携帯端末等を実現するコンピュータの外観を示す。上述の実施の形態は、コンピュータハードウェア及びその上で実行されるコンピュータプログラムで実現され得る。図８は、このコンピュータシステム３００の概観図であり、図９は、システム３００のブロック図である。
【０１４１】
図８において、コンピュータシステム３００は、ＣＤ−ＲＯＭドライブを含むコンピュータ３０１と、キーボード３０２と、マウス３０３と、モニタ３０４と、マイク３０５と、スピーカー３０６とを含む。
【０１４２】
図９において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１４３】
コンピュータシステム３００に、上述した実施の形態の携帯端末等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１４４】
プログラムは、コンピュータ３０１に、上述した実施の形態の携帯端末等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１４５】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１４６】
また、上記プログラムを実行するコンピュータは、単数であってもよく、複数であってもよい。すなわち、集中処理を行ってもよく、あるいは分散処理を行ってもよい。
【０１４７】
また、上記各実施の形態において、一の装置に存在する２以上の通信手段は、物理的に一の媒体で実現されても良いことは言うまでもない。
【０１４８】
また、上記各実施の形態において、各処理は、単一の装置によって集中処理されることによって実現されてもよく、あるいは、複数の装置によって分散処理されることによって実現されてもよい。
【０１４９】
本発明は、以上の実施の形態に限定されることなく、種々の変更が可能であり、それらも本発明の範囲内に包含されるものであることは言うまでもない。
【産業上の利用可能性】
【０１５０】
以上のように、本発明にかかる携帯端末は、交差点または横断歩道の付近に関連する情報をユーザに提供できる、という効果を有し、携帯端末等として有用である。
【符号の説明】
【０１５１】
１  信号ポール
２  携帯端末
３  サーバ装置
１１  近距離無線通信装置
２１  ユーザ属性格納部
２２  アプリ格納部
２３  識別情報受信部
２４  アプリ起動部
２５  出力情報受信部
２６  出力情報出力部
３１  出力情報格納部
３２  検索情報受信部
３３  出力情報取得部
３４  出力情報送信部
１１１  識別情報格納部
１１２  識別情報送信部
２５１  検索情報送信手段
２５２  出力情報受信手段
【図２】
2016115254.tif 000003
【図３】
2016115254.tif 000004
【図４】
2016115254.tif 000005
【図６】
2016115254.tif 000006
【図７】
2016115254.tif 000007
【図８】
2016115254.tif 000008
【図９】
2016115254.tif 000009
【図１】
2016115254.tif 000010
【図５】
2016115254.tif 000011